(57)【要約】【課題】  収納効率及び運搬効率を大幅に高め、更に修理も容易に行うことが可能なストックボックスを提供する。【解決手段】  上方に開口する箱体（２）の底板（１２）の下面に脚輪（３）が取り付けられたストックボックス（１）であって、箱体（２）は、周囲を形成する４枚の側板（１３，１４，１５，１６）からなる角筒部（１１）と底板（１２）とが別体に形成され、角筒部（１１）は折り畳み可能とされ、底板（１２）は角筒部（１１）の下端開口部（１１ａ）に着脱可能とされ、脚輪（３）は、底板（１２）の下面に着脱可能に取り付けられる。【選択図】  図３
0003170274.tif 000002
【実用新案登録請求の範囲】
【請求項１】
上方に開口する箱体（２）の底板（１２）の下面に脚輪（３）が取り付けられたストックボックス（１）であって、前記箱体（２）は、周囲を形成する４枚の側板（１３，１４，１５，１６）からなる角筒部（１１）と前記底板（１２）とが別体に形成され、前記角筒部（１１）は折り畳み可能とされ、前記底板（１２）は前記角筒部（１１）の下端開口部（１１ａ）に着脱可能とされ、前記脚輪（３）は、前記底板（１２）の下面に着脱可能に取り付けられることを特徴とするストックボックス。
【請求項２】
前記角筒部（１１）の４枚の側板（１３，１４，１５，１６）は、隣り合う両側部を蝶番（２１，２２，２３，２４）により連結されて折り畳み可能とされていることを特徴とする請求項１に記載のストックボックス。
【請求項３】
前記蝶番（２１，２２，２３，２４）は、回転軸心（２１ａ，２２ａ，２３ａ，２４ａ）が前記４枚の側板（１３，１４，１５，１６）に対して前記角筒部（１１）の一方の対向する角部（１１ｂ，１１ｄ）の外側と他方の対向する角部（１１ｃ，１１ｅ）の内側とに配置されるように取り付けられ、前記回転軸心（２１ａ，２３ａ）が前記角部（１１ｂ，１１ｄ）の外側に取り付けられている前記蝶番（２１，２３）の取付部は、隣接する一方の前記側板（１３，１４）の端面（１３ａ，１４ａ）と他方の前記側板（１５ｃ，１６ｃ）の内側面とに取り付けられていることを特徴とする請求項２に記載のストックボックス。
【請求項４】
前記脚輪（３）は、台座（４）が前記底板（１２）の下面四隅近傍位置に固設されているマグネット（２８）に吸着されて前記底板（１２）に着脱可能に固定されることを特徴とする請求項１に記載のストックボックス。
【請求項５】
前記底板（１２）は、前記角筒部（１１）の下端開口部（１１ａ）に留金具（２７）により着脱可能に固定されることを特徴とする請求項１に記載のストックボックス。
【考案の詳細な説明】
【技術分野】
【０００１】
本考案は、物品等を収納するためのストックボックスに関する。
【背景技術】
【０００２】
例えば百貨店や専門店などにおいては、商品等を収納するためにストックボックス（収納庫）が多用されている。このストックボックスは、一般に上方に開口する箱形をなし、底面に移動を可能とするための脚輪（キャスタ）が設けられている。このような収納庫として、例えば特開２０１１−０００３５０号公報に開示されている（例えば特許文献１参照）。
【０００３】
この収納庫は、下部側に車輪を有し、物品が載置される底板と、該底板の周囲を囲むように該底板を収納し、かつ該底板に対して上下動可能とされ、降下させた状態において下端が床面に当接し得る側壁と、該側壁の下端を床面から浮かせた状態に支持する支持部とを備えている。
【先行技術文献】
【特許文献】
【０００４】
【特許文献１】特開２０１１−０００３５０号公報（５−７頁、図１）
【考案の概要】
【考案が解決しようとする課題】
【０００５】
例えば百貨店や専門店等において商品等を収納するストックボックス（収納庫）は、商品を陳列しているテーブル（載置台）の下部空間等に収納されて、関連する商品を収納するように使用される。
【０００６】
この一方、商品の配置替えや店内の改装等に伴い、商品を陳列するためのテーブルの形状寸法の変更、或いはデザイン等を変更することも多い。このような変更の度にストックボックスを購入することは無駄が多いため、ストックボックスは、一般にレンタルされる場合が多い。
【０００７】
したがって、レンタル業者は、使用目的に応じて多種多様且つ多数のストックボックスを揃えておくことが必要である。しかしながら、従来のストックボックスは、一体型の構造、即ち箱の底面にキャスタを固定した構造であるために、これらを保管しておくための大きな倉庫が必要となり、収納効率が非常に悪く保管費用が増大する。
【０００８】
また、運搬効率も悪く搬入搬出作業に多大な手間が掛かる。更に、側板等を破損した場合の修理も簡単に行うことが出来ず、一部の破損であるにも拘らずストックボックス全体を廃棄しなければならないような場合もある等の問題がある。上述の特許文献１に記載された収納庫についても同様の問題がある。
【０００９】
本考案は、このような問題を解決するためになされたもので、収納効率及び運搬効率を大幅に高め、更に修理も容易に行うことが可能なストックボックスを提供することを課題とする。
【課題を解決するための手段】
【００１０】
上記の課題を解決するために、本考案が採用する手段は、上方に開口する箱体の底板の下面に脚輪が取り付けられたストックボックスであって、箱体は、周囲を形成する４枚の
側板からなる角筒部と底板とが別体に形成され、角筒部は折り畳み可能とされ、底板は角筒部の下端開口部に着脱可能とされ、脚輪は、底板の下面に着脱可能に取り付けられることにある。
【００１１】
本考案のストックボックスは、不使用時には箱体を形成する角筒部と底板とを分離し、更に底板から脚輪を取り外して分解する。角筒部は４枚の側板を折り畳み可能とされ、折り畳んだ状態で積重ねて保管することが可能となる。底板も脚輪を取り外すことで積重ねて保管可能となる。使用時には、折り畳んである角筒部を角筒状に開き、底板に脚輪を取り付けて当該底板を角筒部の下端開口部に装着してストックボックスを形成する。
【００１２】
これにより、収納効率及び運搬効率が大幅に向上すると共に、搬入搬出作業が容易となる。更に、角筒部の側板や底板等が一部破損したような場合でも、当該破損した側板や底板のみを交換すればよく、修理も容易に行うことが可能となる。
【００１３】
上記ストックボックスにおいて、角筒部の４枚の側板は、隣り合う両側部を蝶番により連結されて折り畳み可能とされていることが望ましい。
【００１４】
このように、角筒部の４枚の側板の隣り合う両側部を蝶番により連結することにより、使用時には角筒状に広げ、不使用時には容易に折り畳んで積重ねることができる。
【００１５】
上記ストックボックスにおいて、蝶番は、回転軸心が４枚の側板に対して角筒部の一方の対向する角部の外側と他方の対向する角部の内側とに配置されるように取り付けられ、回転軸心が角部の外側に取り付けられている蝶番の取付部は、隣接する一方の側板の端面と他方の側板の内側面とに取り付けられていることが望ましい。
【００１６】
このように、蝶番が、回転軸心が４枚の側板に対して角筒部の一方の対向する角部の外側と他方の対向する角部の内側とに配置されるように取り付けられていることにより、側板の板厚にもかかわらず、角筒部をほぼ平板状に折り畳むことができ、この結果、より多数の角筒部を崩れなく積重ねることができる。
【００１７】
これと共に、回転軸心が角筒部の角部の外側に取り付けられている蝶番の取付部は、隣接する一方の側板の端面と他方の側板の内側面とに取り付けられているから、蝶番の取付部を角筒部の外側から見えないようにすることができ、見栄えが向上する。
【００１８】
上記ストックボックスにおいて、脚輪は、台座が底板の下面四隅近傍位置に固設されているマグネットに吸着されて底板に着脱可能に固定されることが望ましい。
【００１９】
このように、脚輪をマグネットの吸着力により固定することで、簡単な構成で容易に着脱可能とすることができる。
【００２０】
上記ストックボックスにおいて、底板は、角筒部の下端開口部に留金具により着脱可能に固定されることが望ましい。
【００２１】
このように、底板を、留金具により角筒部の下端開口部に固定することにより底板が開口部から外れることが防止され、確実に物品を収納することができる。
【考案の効果】
【００２２】
以上のように、本考案のストックボックスは、上方に開口する箱体の底板の下面に脚輪が取り付けられたストックボックスであって、箱体は、周囲を形成する４枚の側板からなる角筒部と底板とが別体に形成され、角筒部は折り畳み可能とされ、底板は角筒部の下端
開口部に着脱可能とされ、脚輪は、底板の下面に着脱可能に取り付けられることにある。
【００２３】
本考案のストックボックスは、不使用時には箱体を形成する角筒部と底板とを分離し、更に底板から脚輪を取り外して分解する。角筒部は４枚の側板を折り畳み可能とされ、折り畳んだ状態で積重ねて保管することが可能となり、底板も脚輪を取り外すことで積重ねて保管可能となる。
【００２４】
ストックボックスとして使用するときには、折り畳んである角筒部を角筒状に開き、脚輪を取り付けた底板を角筒部の下端開口部に装着してストックボックスを形成する。これにより、ストックボックスの収納効率及び運搬効率が大幅に向上すると共に、搬入搬出の作業性も大幅に向上する。
【００２５】
更に、角筒部の側板や底板の一部が破損したような場合でも当該破損した側板或いは底板のみを交換すれば良く、修理も容易に行うことが可能となる。
【図面の簡単な説明】
【００２６】
【図１】本考案の一実施形態に係るストックボックスの使用例を示す斜視図である。
【図２】図１に示したストックボックスの斜視図である。
【図３】図２に示したストックボックスの上下を逆にした組立斜視図である。
【図４】図２に示したストックボックスの上面図である。
【図５】図４に示したストックボックスの底面図である。
【図６】図４に示したストックボックスの側面図である。
【図７】図４に示したストックボックスの矢線ＶＩＩ−ＶＩＩに沿う断面図である。
【図８】図３に示したストックボックスを形成する角筒部を折り畳む場合の説明図である。
【図９】図８に示した角筒部を折り畳んだ状態の説明図である。
【考案を実施するための形態】
【００２７】
本考案に係るストックボックスを実施するための形態を、図１ないし図９を参照して詳細に説明する。
【００２８】
図１は、本考案に係るストックボックスの使用例を示す斜視図で、ストックボックス１は、例えば商品を陳列するためのテーブル（載置台）７の下側の空間部内に、入出可能に収納されている。このストックボックス１は、図２に示すように、上方に開口する四角い箱体２の底面の四隅に脚輪（キャスタ）３が取り付けられて、容易に移動可能とされている。
【００２９】
図３に示すように、ストックボックス１は、箱体２の周壁を形成する角筒部１１と底板１２からなり、角筒部１１と、底板１２とが別体に形成され、この底板１２の下面四隅に、脚輪３が着脱可能に取り付けられる構造となっている。角筒部１１は、４枚の側板１３，１４，１５，１６からなり、上下両端が開口している。
【００３０】
角筒部１１は、図２、図３及び図６に示すように、左右の側板１３、１４が略正方形状をなし、図示前後の側板１５，１６（以下、前板１５、背板１６という）が、図示左右の側板１３，１４よりも上下に長い長方形状をなしている。
【００３１】
図４に示すように、角筒部１１は上面視四角形をなし、左右の側板１３，１４、前板１５、背板１６は、図３、図４及び図６に示すように、上下方向に沿ってピアノ蝶番のような長尺の蝶番２１，２２，２３，２４により連結されており、後述する図８、図９に示すように折り畳み可能とされている。
【００３２】
図４及び図８に示すように、左右の側板１３，１４、前板１５、背板１６を蝶番２１，２２，２３，２４により連結する場合、先ず、図８に示すように前板１５と側板１３、背板１６と側板１４をそれぞれ開いた状態にする。前板１５と側板１３を、側板１３の一方の端面１３ａが前板１５の内側面１５ｃに当接するように、かつ、蝶番２１の回転軸心２１ａが角筒部１１の外側に配置されるように蝶番２１で連結する。
【００３３】
背板１６と側板１４を、側板１４の一方の端面１４ａが背板１６の内側面１６ｃに当接するように、かつ、蝶番２３の回転軸心２３ａが角筒部１１の外側に配置されるように蝶番２３で連結する。２つの蝶番２１，２３の取付部は、側板１３，１４の端面１３ａ，１４ａと、前板１５及び背板１６の内側面１５ｃ，１６ｃとにそれぞれ取り付けられている。
【００３４】
次に、前板１５と側板１３、背板１６と側板１４をそれぞれ直角に開いて縦に置き、図４に示すように上方から見て角筒を形成するように、側板１３の他方の端部１３ｂと背板１６の側部１６ｃの他端を、そして側板１４の他方の端部１４ｂと前板１５の側部１５ｃの他端をそれぞれ当接させる。前板１５と側板１３、及び背板１６と側板１４を、蝶番２２、２４の回転軸心２２ａ，２４ａが角筒部１１の内側に配置されるように、蝶番２２、２４によりそれぞれ連結する。
【００３５】
すなわち、蝶番２１，２２，２３，２４は、それらの回転軸心２１ａ，２２ａ，２３ａ，２４ａが前板１５、背板１６、及び左右の側板１３，１４に対して、角筒部１１の一方の対向する角部１１ｂ，１１ｄの外側と、他方の対向する角部１１ｃ，１１ｅの内側とに配置されるように取り付けられており、図９に示すように、前板１５、背板１６、及び左右の側板１３，１４の板厚にもかかわらず、角筒部１１をほぼ平板状に折り畳むことができ、この結果、より多数の角筒部１１を崩れなく積重ねることができる。
【００３６】
また、回転軸心２１ａ，２３ａが角筒部１１の角部１１ｂ，１１ｄの外側に取り付けられている２つの蝶番２１，２３の取付部は、隣接する一方の側板の、つまり前板１３と背板１４の端面１３ａ，１４ａと、他方の側板１５，１６の内側面１５ｃ，１６ｃとに取り付けられているから、図９に示すように折り畳んだ状態から図３、図４及び図６に示すように開いて角筒部１１を形成したときに、蝶番２１の取付部及び蝶番２３の取付部を、角筒部１１の外側から見えないようにすることができ、見栄えが向上する。
【００３７】
図３、図６及び図７に示すように、前板１５と背板１６の下端１５ａ，１６ａは、左右の側板１３，１４の下端よりも下方に延出しており、底板１２に脚輪３を取り付けて角筒部１１の開口部１１ａに当該底板１２を装着した状態において、僅かに床面から離隔する長さとされている。
【００３８】
これにより、ストックボックス１を正面側及び背面側から見たときに脚輪３が見え難くなり、見栄えが向上する。また、左右の側板１３，１４の上端は、前板１５、背板１６の上端よりも低くなっており、物品の出し入れを容易にしている。
【００３９】
図３に示すように、左右の側板１３，１４の下端内側面には、角筒部１１の下端の開口部１１ａに底板１２を、その板厚分だけ入り込ませて係止するための段差部１３ｃ，１４ｃが形成されている。
【００４０】
また、角筒部１１の下側の開口部１１ａの側板１３，１４、前板１５、背板１６の各内側面の両側には、当該底板１２の板厚の略半分程度の位置に、底板１２を装着したときにこれを係止するためのマグネット２５が固定されている。更に、図３及び図７に示すよう
に、前板１５、背板１６の内側面には両側のマグネット２５の略中間位置に、留金具の係止孔１５ｂ，１６ｂが穿設されている。
【００４１】
図３、図４乃至図７に示すように、底板１２は、角筒部１１の下側の開口端部１１ａ内に、左右の側板１３，１４の段差部１３ｃ，１４ｃまで内嵌可能とされており、図３に示すように、各外周面には上記各マグネット２５と対向する位置に、吸着用の鉄片２６が固定されている。
【００４２】
また、底板１２の下面の前後両側略中央位置に、前板１５、背板１６の係止孔１５ｂ，１６ｂと対向して留金具、例えばフランス落し２７が取り付けられており、係止孔１５ｂ，１６ｂを介して角筒部１１に固定されるようになっている。また、図３に示すように、底板１２の下面の四隅近傍位置にはマグネット２８が固定されており、脚輪３が着脱可能とされている。
【００４３】
ストックボックス１を組み立てる場合、先ず、図９に示すように折り畳んだ状態の角筒部１１を図８に示すように矢印Ａ方向に開き、図３に示すように、下端の開口部１１ａを上方に向けて角筒状に開く。
【００４４】
また、底板１２の下面の四隅近傍位置に固定されている各マグネット２８に、脚輪３の台座４の上面を吸着させて脚輪３を固定する。次いで、例えばこの脚輪３を持って、底板１２を角筒部１１の開口部１１ａに側板１３，１４の段差部１３ｃ，１４ｃに係止されるまで押し込んで装着する。
【００４５】
このとき、底板１２は、外周面に固定されている各鉄片２６が角筒部１１の開口部１１ａの内面に固定されているマグネット２５に吸着されて、角筒部１１の開口部１１ａ内に係止される。
【００４６】
次いで、図７に示すように、前後のフランス落し２７の各固定ピン２７ａを前板１５、背板１６の係止孔１５ｂ，１６ｂに嵌合させて、底板１２を開口部１１ａに固定する。このようにストックボックス１を組み立てた後、ストックボックス１を上下逆さまの状態から上下を反対にして、脚輪３を床面に接地させる。これにより、ストックボックス１を使用することができる。
【００４７】
このストックボックス１を倉庫に保管したり、運搬したり、搬入搬出する場合には、上述と反対の手順で分解する。即ち、図３に示すように、ストックボックス１を上下反対にして、前後のフランス落し２７と前板１５、背板１６との結合を解除し、例えば脚輪３を持って、角筒部１１の開口部１１ａの各マグネット２５の吸着力に抗して底板１２を引き上げて、この底板１２を角筒部１１から取り外す。
【００４８】
次いで、脚輪３を底板１２からマグネット２８の吸着力に抗して取り外す。そして、角筒部１１ａを、図８の矢印Ｂで示す方向に畳んで、図９に示すようにほぼ平板状に折り畳む。この結果、より多数の角筒部１１を崩れなく積重ねることができる。
【００４９】
このように、ストックボックス１を、角筒部１１と底板１２とを別体とし、角筒部１１を折り畳み構造とし、且つ脚輪３を着脱可能とすることにより、角筒部１１及び底板１２を積重ねることが可能となり、倉庫に保管する際の収納効率や運搬時における運搬効率が大幅に向上すると共に、ストックボックス１の搬入搬出作業が軽減して、作業効率が大幅に向上する。
【００５０】
更に、前板１５、背板１６や側板１３，１４等が一部破損した場合における交換修理も
簡単に行うことができ、無駄を無くすことができる。
【産業上の利用可能性】
【００５１】
本考案は、上述した一実施の形態に係るストックボックスに限定されるものではなく、様々なボックスに対して実施することが可能である。
【符号の説明】
【００５２】
１  ストックボックス
２  箱体
３  脚輪（キャスタ）
４  脚輪の台座
７  テーブル（載置台）
１１  角筒部
１１ａ  開口部
１１ｂ，１１ｃ，１１ｄ，１１ｅ  角部
１２  底板
１３，１４  側板
１３ａ，１３ｂ，１４ａ，１４ｂ  端面
１３ｃ，１４ｃ  段差部
１５  前板
１５ａ  下端
１５ｂ  係止孔
１５ｃ  内側面
１６  背板
１６ａ  下端
１６ｂ  係止孔
１６ｃ  内側面
２１，２２，２３，２４  蝶番
２１ａ，２２ａ，２３ａ，２４ａ  回転軸心
２５  マグネット
２６  鉄片
２７  フランス落し（留金具）
２７ａ  固定ピン
２８  マグネット
【図１】
0003170274.tif 000003
【図２】
0003170274.tif 000004
【図３】
0003170274.tif 000005
【図４】
0003170274.tif 000006
【図５】
0003170274.tif 000007
【図６】
0003170274.tif 000008
【図７】
0003170274.tif 000009
【図８】
0003170274.tif 000010
【図９】
0003170274.tif 000011